(57)【要約】【課題】非表示時はスッキリとしたデザインを確保でき、表示時は視認性および認知性に優れた表示装置を備えた電気機器を提供する。【解決手段】電気機器の筺体１０の表面に難透視処理されたカバー２０を取り付け、該カバー２０の背面側に暗色処理された暗室１１を設け、該暗室１１内に該暗室の奥壁から一部が突出するように導光体３０を配置し、該導光体３０の突出部と反対側に光源４０を配置して構成した表示装置を備える。【選択図】図１
2010204169.tif 000002
【特許請求の範囲】
【請求項１】
電気機器の筺体の表面に難透視処理されたカバーを取り付け、該カバーの背面側に暗色処理された暗室を設け、該暗室内に該暗室の奥壁から一部が立体的に突出する導光体を配置し、該導光体の前記突出する部分と反対側に光源を配置して構成した表示装置を備えることを特徴とする電気機器。
【請求項２】
請求項１に記載の電気機器において、
前記導光体は拡散樹脂材による成形、または、前記突出する部分の表面に微細凹凸によるシボ加工が施されていることを特徴とする電気機器。
【請求項３】
請求項１に記載の電気機器において、
前記導光体は透明の樹脂材でなり、発光させる面のみに微細凹凸によるシボ加工が施されていることを特徴とする電気機器。
【請求項４】
請求項１、２、３に記載の電気機器において、
前記導光体は、前記暗室の奥壁から前記カバーに向かう高さが異なる複数の個別導光体からなり、該各個別導光体に対応して前記光源が個別光源として配置されていることを特徴とする電気機器。
【請求項５】
請求項４に記載の電気機器において、
前記各個別導光体は、一列に並ぶよう配置され、該並びに沿って前記高さが順次傾斜するとともに先端面の面積が順次大きくなることを特徴とする電気機器。
【発明の詳細な説明】
【技術分野】
【０００１】
本発明は、表示装置を備える電気機器に関するものである。
【背景技術】
【０００２】
図８（ａ）に従来の電気機器の表示装置を示す。この表示装置は、電気機器の筺体１１０に形成し開口１１１の背面から、光散乱物質が配合された導光体１２０を、その先端が前面に突出するよう挿入し、その筺体１１０背面に位置するＬＥＤホルダ１３０により、回路基板１４０に取り付けたＬＥＤ１５０を、導光体１２０の背面に対向するように保持したものである。
【０００３】
この表示装置では、ＬＥＤ１５０を点灯させると、そこで発生した光は、ＬＥＤホルダ１３０によって周囲への光漏れが防止され、導光体１２０に入射する。これにより、その光は導光体１２０の内部で乱反射して拡散され、その導光体１２０の先端が光っているように見える。
【０００４】
したがって、例えば、導光体１２０を図８（ａ）の紙面に垂直方向に長く形成し、ＬＥＤ１５０を紙面に垂直方向に複数個並べて配置しておけば、現在の電気機器の動作、パワーセーブ状態等を、連続した線を表面に垂直方向に伸縮する形態として表示させることができる。
【０００５】
図８（ｂ）はＬＥＤホルダ１３０を無くして筺体１１０の裏面にＬＥＤホルダ部１１２を一体的に設けた別の従来例である。この図８（ａ）、（ｂ）に記載したような表示装置は、例えば特許文献１に記載されている。
【発明の概要】
【発明が解決しようとする課題】
【０００６】
ところが、図８に記載の表示装置は、ＬＥＤ１５０を消灯して表示を行わない場合であっても導光体１２０の先端が筺体１１０の前面よりも突出して目立ち、スッキリとしたデザインとならず美観を損なう問題がある。また、導光体１２０が突出していることで照明環境が暗いときの視認性は高いが、明るいときは周囲の光を直接受けるため点灯が視認しづらくなる問題がある。
【０００７】
本発明は以上のような点に鑑みてなされたもので、その目的は、非表示時はスッキリとしたデザインを確保でき、表示時は視認性および認知性に優れた表示装置を備えた電気機器を提供することである。
【課題を解決するための手段】
【０００８】
上記目的を達成するために、請求項１にかかる発明は、電気機器の筺体の表面に難透視処理されたカバーを取り付け、該カバーの背面側に暗色処理された暗室を設け、該暗室内に該暗室の奥壁から一部が立体的に突出する導光体を配置し、該導光体の前記突出する部分と反対側に光源を配置して構成した表示装置を備えることを特徴とする。
【０００９】
請求項２にかかる発明は、請求項１に記載の電気機器において、前記導光体は拡散樹脂材による成形、または、前記突出する部分の表面に微細凹凸によるシボ加工が施されていることを特徴とする。
【００１０】
請求項３にかかる発明は、請求項１に記載の電気機器において、前記導光体は透明の樹脂材でなり、発光させる面のみに微細凹凸によるシボ加工が施されていることを特徴とする。
【００１１】
請求項４にかかる発明は、請求項１、２、３に記載の電気機器において、前記導光体は、前記暗室の奥壁から前記カバーに向かう高さが異なる複数の個別導光体からなり、該各個別導光体に対応して前記光源が個別光源として配置されていることを特徴とする。
【００１２】
請求項５にかかる発明は、請求項４に記載の電気機器において、前記各個別導光体は、一列に並ぶよう配置され、該並びに沿って前記高さが順次傾斜するとともに先端面の面積が順次大きくなることを特徴とする。
【発明の効果】
【００１３】
本発明によれば、ＬＥＤが消灯しているときは導光体が外部から見えず、スッキリとしたデザインを確保でき、光源が点灯して初めて導光体が光って暗闇に立体的に浮かんでいるように見えるので、表示/非表示の区別が明確となり、視認性および認知性に優れた表示が行われるばかりか、表示自体が新鮮な印象を与える。また、高さや先端面面積の異なる複数の導光体を使用することで、表示に動きを与えたり細かい意味を与えたりすることができる。
【図面の簡単な説明】
【００１４】
【図１】（ａ）は本発明の第１の実施例の表示装置の縦断面図、（ｂ）は第１の実施例の表示装置の変形例の縦断面図である。
【図２】（ａ）は第１の実施例の表示装置の消灯時の外観斜視図、（ｂ）は点灯時の外観斜視図である。
【図３】は本発明の第２の実施例の表示装置の点灯時の外観斜視図である。
【図４】（ａ）は第３の実施例の表示装置の正面図、（ｂ）は縦断面図、（ｃ）は横断面図である。
【図５】（ａ）は第３の実施例の表示装置の消灯時の外観斜視図、（ｂ）は点灯時の外観斜視図である。
【図６】（ａ）は第３の実施例の表示装置の変形例の縦断面図、（ｂ）は横断面図である。
【図７】（ａ）、（ｂ）は本発明の表示装置を適用した空気調和機の室内機の斜視図である。
【図８】（ａ）は従来の表示装置の縦断面図、（ｂ）は別の従来の表示装置の縦断面図である。
【発明を実施するための形態】
【００１５】
〈第１の実施例〉
図１（ａ）に本発明の第１の実施例の表示装置を示す。１０は電気機器の筺体であり、その一部に、塗装または暗色部品１０ａ等で内壁面に暗色処理が施された凹形状の暗室１１が形成され、その暗室１１はカバー２０によって覆われている。このカバー２０は、ハーフミラー又はスモーク色の樹脂材等によって表面から内部が見え難いよう難透視処理され、表面は筺体１０の表面と同一面となっている。３０は４角の柱形体の導光体であり、光散乱物質が配合された樹脂材による成形、または、透明樹脂材で成形され、鍔３１よりも先端部（図の左側）の全表面に微細凹凸によるシボ加工が施されており、その鍔３１が暗室１１の奥壁に形成された開口１１ａでストップするまで、裏面側から挿入されている。４０は光源となるＬＥＤ、５０はそのＬＥＤが搭載される回路基板である。６０は遮光性をもつＬＥＤホルダであり、ＬＥＤ４０を、回路基板５０を介して導光体３０の背面に対向するように位置付けている。そして、この表示装置は、図７（ａ）に示す空気調和機の室内機７０に適用する場合には、その正面の表示部８０の表示装置として組み込まれる。
なお、導光体３０は４角の柱形体に限らず、円柱や多角形でもよく、立体的に暗室１１内に突出する形状であればよい。
【００１６】
本実施例の表示装置では、ＬＥＤ４０が消灯しているときは、カバー２０が難透視処理され、且つ暗室１１の内壁が暗色処理されているので、外部から導光体３０は見えず、図２（ａ）に示すようになり、スッキリとしたデザインを確保できるとともに、カバー表面が電気機器の筺体の表面と同一面であるので、汚れにくく清掃性が良好ともなる。
【００１７】
しかし、ＬＥＤ４０が点灯すると、導光体３０を介して光が放射されるので、ハーフミラー又はスモーク色の樹脂材等のカバー２０は中からの光を透過するため、外部から視認可能となる。しかも、その導光体３０は光散乱物質が配合された樹脂材による成形、または、透明樹脂材で成形され、暗室１１内の先端部の全表面にシボ加工が施されているので、その全表面が高輝度で光るようになる。よって、導光体３０は、図２（ｂ）に示すように、暗闇に立体的に浮かび上がっているように見える。これにより、表示／非表示の区別が明確となり、視認性および認知性に優れた表示が行われるばかりか、表示自体が新鮮な印象を与える。
【００１８】
なお、この表示装置は、図１（ｂ）に示すように、筺体１０の暗室１１の外壁をさらに奥方向に延伸させて、ＬＥＤホルダ部１２とすることで、単体のＬＥＤホルダ６０を削除することもできる。また、図７（ｂ）に示すように、暗室１１を独立した筺体１０ｂとして形成し、箇体１０ｂに形成した開口の裏面に取り付けるようにしてもよい。図１（ａ）に示したように、暗室１１を筺体１０の一部として一体成形した場合は、暗室１１の内壁に前記塗装または暗色部品１０ａの暗色処理が必要であるが、独立した筺体１０ｂとしたときは、その筺体１０ｂの樹脂色を暗色で作成すればよいので、筺体１０ｂに対する部分的な暗色処理が不要になる。
【００１９】
〈第２の実施例〉
図３に第２の実施例の表示装置の点灯時を示す。第２の実施例の基本構成は第１の実施例と同様であり、ＬＥＤ４０が消灯時は、図２（ａ）となる。第１の実施例と異なるのは導光体３０ａ，３０ｂ，３０ｃ，３０ｄであり、本実施例では、導光体３０ａ，３０ｂ，３０ｃ，３０ｄのいずれか１つを図１における導光体３０と置き換えて使用する。これらの導光体３０ａ〜３０ｄは、透明樹脂材で立体形状を成形後、発光させる面のみに微細凹凸によるシボ加工が施されている。
【００２０】
例えば導光体３０ａは先端部が半球の円柱状で、同半球形状部にシボ加工を施すことで、点灯時に暗闇に半球形状が立体的に浮かび上がっているように光る。
また、導光体３０ｂは円柱状で先端面と側面の一部にシボ加工を施すことで、点灯時に暗闇に先端の円形と側面の一部の二箇所が立体的に浮かび上がっているように光る。
また、導光体３０ｃは径の異なる複数の円柱が階段形状に重なった先細の立体で、先端面と階段の面にシボ加工を施すことで、点灯時に暗闇に複数箇所が階段状に立体的に浮かび上がっているように光る。
また、導光体３０ｄは先端が山型をした角柱状で、先端の二面にシボ加工を施すことで、点灯時に暗闇に山型に立体的に浮かび上がっているように光る。
これらの導光体３０ａ〜３０ｄを活用することで、斬新な印象をあたえる表示装置が得られる。
【００２１】
〈第３の実施例〉
図４〜図６に第３の実施例の表示装置を示す。本実施例では、電気機器の筺体１０に開口１３を形成して、その開口１３をハーフミラー又はスモーク色の樹脂材等によって表面から内部が見え難いよう難透視処理されたカバー２０により覆っている。筺体１０の表面とカバー２０の表面は、同一面となっている。そして、その開口１３の裏面に、暗色の樹脂で成形されたＬＥＤホルダ６０を取り付けている。このＬＥＤホルダ６０は、凹形状の暗室６１と、透明樹脂材からなる導光体３１、３２、３３を保持するガイド孔６２ａ、６２ｂ、６２ｃが設けられた導光体ガイド部６２を備え、背面で、ＬＥＤ４１、４２、４３が搭載された回路基板５０をホールドしている。導光体３１〜３３は、暗室６１の奥壁からカバー２０に向かい順次連続した傾斜面となり、その各先端面には微細凹凸によるシボ加工が施されている。その内の導光体３１は先端面３１ａの面積が最も大きく且つ高い方の先端３１ｂが最もカバー２０に近づくよう、導光体３２は先端面３２ａの面積が中くらいで且つ先端がカバー２０に中くらいで近づくよう、導光体３３は先端面３３ａの面積が最も小さく且つ先端が最もカバー２０から遠のくよう、それぞれガイド孔６２ａ、６２ｂ、６２ｃに配置されている。そして、それら導光体３１〜３３の背面は揃えられ、ＬＥＤ４１〜４４が対向している。
【００２２】
本実施例の表示装置では、ＬＥＤ４１〜４３が消灯しているときは、カバー２０が難透視処理され且つ暗室１１の内壁が暗色処理されているので、外部から導光体３１〜３３は見えず、図５（ａ）に示すようになる。
【００２３】
しかし、ＬＥＤ４１〜４３が点灯すると、導光体３１〜３３を介して光が放射されるので、ハーフミラー又はスモーク色の樹脂材等のカバー２０は中からの光を透過するため、外部から視認可能となる。しかも、その導光体３１〜３３の正面はシボ加工されているので、その先端面３１ａ〜３３ａのみが図５（ｂ）に示すように、暗闇に立体的に浮かび上がっているように見える。
【００２４】
また、ＬＥＤ４３のみが点灯したときは、ガイド孔６２ｃによって当該点灯したＬＥＤ４３の光は導光体３３のみに入射するので、カバー２０の奥で小さな面積の導光体３３の先端面３３ａのみが発光する。ＬＥＤ４２のみが点灯したときは、ガイド孔６２ｂによって当該点灯したＬＥＤ４２の光は導光体３２のみに入射するので、カバー２０の中程で中くらいの面積の導光体３２の先端面３２ａのみが発光する。ＬＥＤ４１のみが点灯したときは、ガイド孔６２ａによって当該点灯したＬＥＤ４１の光は導半体３１のみに入射するので、カバー２０の直前で大きな面積の導光体３１の先端面３１ａのみが発光する。
【００２５】
したがって、電気機器のパワー表示を行う場合は、小パワー時は導光体４３のみを、中パワー時は導光体４２、４３を、高パワー時は導光体４１、４２、４３全部を、それぞれ点灯させることで、現在のパワー表示を棒グラフ形態で効果的に強烈に視覚に訴えることができる。
【００２６】
なお、図６に示すように、筺体１０の一部に、内壁面に黒色等で暗色処理が施された凹形状の暗室１１を設け、その暗室１１の奥にＬＥＤホルダ部１２を延伸して、このＬＥＤホルダ部１２に、導光体３１、３２、３３を保持する遮光性のガイド孔１２ａ、１２ｂ、１２ｃを設け、背面でＬＥＤ４１、４２、４３が搭載された回路基板５０をホールドするようにして、ＬＥＤホルダ６０を削除してもよい。また、導光体３１は赤色、導光体３２はオレンジ色、導光体３３は青色等のように所望の色に着色すれば、上記したパワー表示の際のパワー内容をより強調できる。これは、導光体３１〜３３を透明材で形成し、ＬＥＤ４１を赤色、ＬＥＤ４２をオレンジ色、ＬＥＤ４３を青色等にしても同様である。
【００２７】
なお、図７（ａ）に示すように、表示部８０のカバー２０の表面にマークやブランド名を刻印２１してもよい。この場合は非点灯時にも空気調和機７０に立体的なデザイン処理により高級感を与えることができ、点灯時は背面からの光が透過することで、点灯表示に影響を与えることはない。
【符号の説明】
【００２８】
１０：電気機器の筺体、１０ａ：塗装または暗色部品、１１：暗室、１１ａ：開口、１２：ＬＥＤホルダ部、１２ａ，１２ｂ，１２ｃ：ガイド孔、１３：開口
２０：カバー、２１：刻印
３０，３１〜３３：導光体、３１ａ，３２ａ，３３ａ：先端面、３１ｂ，３３ｂ：先端，３０ａ〜３０ｄ：導光体
４０，４１〜４３：ＬＥＤ
５０：回路基板
６０：ＬＥＤホルダ、６１：暗室、６２：導光体ガイド部、６２ａ，６２ｂ，６２ｃ：ガイド孔、
７０：空気調和機の室内機
８０：表示部
１１０：電気機器の筺体、１１１：開口、１１２：ＬＥＤホルダ部
１２０：導光体
１３０：ＬＥＤホルダ
１４０：回路基板
１５０：ＬＥＤ
【先行技術文献】
【特許文献】
【００２９】
【特許文献１】特開２００２−１４９０８８号公報
【図１】
2010204169.tif 000003
【図３】
2010204169.tif 000004
【図４】
2010204169.tif 000005
【図６】
2010204169.tif 000006
【図７】
2010204169.tif 000007
【図８】
2010204169.tif 000008
【図２】
2010204169.tif 000009
【図５】
2010204169.tif 000010